(57)【特許請求の範囲】
【請求項１】
撮像手段による撮影によって取得された映像信号を画像処理して表示手段に映像表示する撮像装置であって、
前記映像信号に対してホワイトバランス補正を施す信号処理手段と、
前記表示手段に入力する映像信号として、前記信号処理手段によりホワイトバランス補正が施される前の映像信号と、前記信号処理手段によりホワイトバランス補正が施された後の映像信号を切替える信号切替え手段と、を備え、
水中で撮影を行う場合、前記信号切替え手段は、前記信号処理手段によりホワイトバランス補正が施される前の映像信号に切替えることを特徴とする撮像装置。
【請求項２】
撮像手段による撮影によって取得された映像信号を画像処理して表示手段に映像表示する撮像装置であって、
前記映像信号に対してホワイトバランス補正を施す信号処理手段と、
前記表示手段に入力する映像信号として、前記信号処理手段によりホワイトバランス補正が施される前の映像信号と、前記信号処理手段によりホワイトバランス補正が施された後の映像信号を切替える信号切替え手段と、
モード選択手段と、を備え、
前記モード選択手段により水中撮影モードが選択され、前記表示手段がオン状態である場合に、前記信号切替え手段は、前記信号処理手段によりホワイトバランス補正が施される前の映像信号に切替えることを特徴とする撮像装置。
【請求項３】
前記信号処理手段は、前記撮像手段による水中での撮影によって取得された映像信号に対して、水中での光の減衰に対応したホワイトバランス補正を施すことを特徴とする請求項１または２に記載の撮像装置。
【請求項４】
前記信号処理手段は、映像の赤色を強めるようにホワイトバランス補正を施すことを特徴とする請求項３に記載の撮像装置。
【請求項５】
前記信号切替え手段は、前記撮像装置の周囲環境に応じて映像信号を切替えることを特徴とする請求項１から４のいずれか１項に記載の撮像装置。
【請求項６】
撮像手段による撮影によって取得された映像信号を画像処理して表示手段に映像表示する撮像装置にて実行される制御方法であって、
前記映像信号に対して信号処理手段がホワイトバランス補正を施す信号処理ステップと、
前記表示手段に入力する映像信号として、前記信号処理手段によりホワイトバランス補正が施される前の映像信号と、前記信号処理手段によりホワイトバランス補正が施された後の映像信号を、信号切替え手段が切替える信号切替えステップと、を有し、
水中で撮影を行う場合、前記信号切替え手段は、前記信号処理手段によりホワイトバランス補正が施される前の映像信号に切替えることを特徴とする撮像装置の制御方法。
【請求項７】
撮像手段による撮影によって取得された映像信号を画像処理して表示手段に映像表示する撮像装置にて実行される制御方法であって、
前記映像信号に対して信号処理手段がホワイトバランス補正を施す信号処理ステップと、
前記表示手段に入力する映像信号として、前記信号処理手段によりホワイトバランス補正が施される前の映像信号と、前記信号処理手段によりホワイトバランス補正が施された後の映像信号を、信号切替え手段が切替える信号切替えステップと、を有し、
モード選択手段により水中撮影モードが選択され、前記表示手段がオン状態である場合に、前記信号切替え手段は、前記信号処理手段によりホワイトバランス補正が施される前の映像信号に切替えることを特徴とする撮像装置の制御方法。
【発明の詳細な説明】
【技術分野】
【０００１】
本発明は、水中撮影で表示手段に表示させる映像のホワイトバランス補正に関する。
【背景技術】
【０００２】
近年、ビデオカメラには被写体像のモニタ用として液晶パネル等の表示部が設けられている。この種のデジタルカメラやビデオカメラは、防水用の専用ハウジング内に本体を装着することで水中撮影が可能である。
ところで、表示部が設けられた撮像装置を用いた水中撮影の場合、水深が深くなるにつれて赤色成分が減衰してしまうため、撮影した被写体像が青味掛かってしまうことが知られている。そのため、撮影時の正しい白になるようにホワイトバランス補正を行った映像を表示部で見る場合、周囲の環境光が青味掛かっており、人間の脳が周囲の青い環境光に順応しているため表示部の映像は赤味を帯びて見えてしまう。つまり、撮像装置では表示映像のホワイトバランス補正が、予め設定された補正値によって行われており、これは撮影時のカメラ画に対するホワイトバランス補正や周囲の環境光とは無関係である。人間の視覚は撮影環境に順応するので、ホワイトバランス補正がなされたカメラ画をそのまま表示パネルに表示するとユーザが違和感を抱くおそれがある。つまり、水中撮影ではホワイトバランス補正により赤色成分を加えて本来の色味になるように補正された信号が記録されるため、これを再生して表示パネルで表示するとユーザの目には映像が赤味を帯びて見える。そのため、ユーザは赤味掛かった映像が記録されてしまっていると錯覚してしまうおそれが生じる。
これを回避するため、デジタルカメラやビデオカメラで水中撮影を行う場合、表示部にカラーチャートを表示し、最も白色に見えるものをユーザに指定させ、指定された色に基づいて表示映像のホワイトバランスを調整する装置が提案されている（特許文献１参照）。また、撮影時の照明環境によって生じるカメラ画のホワイトバランスと表示画のホワイトバランスの差を軽減し、使用者が撮影している映像のホワイトバランス状態を正確に把握することのできる撮像装置が提案されている（特許文献２参照）。
【先行技術文献】
【特許文献】
【０００３】
【特許文献１】特開２００６−１９７４７８号公報
【特許文献２】特開２００８−２１１３３３号公報
【発明の概要】
【発明が解決しようとする課題】
【０００４】
従来技術では、水中撮影にてユーザが表示画面上で、適切なホワイトバランス補正がなされた映像を確認できないか、または処理時間がかかるという問題がある。前記特許文献１に開示された技術では、表示映像のホワイトバランス調整にて予め設定されたカラーチャートをユーザに提示して選択してもらう必要があるため、正しい調整状態が得られるまでに要する時間がかかっていた。
そこで本発明は、映像再生時に正確かつ迅速に適切なホワイトバランス補正がなされた映像表示を行える撮像装置およびその制御方法の提供を目的とする。
【課題を解決するための手段】
【０００５】
上記課題を解決するために、本発明の一実施形態に係る装置は、撮像手段による撮影によって取得された映像信号を画像処理して表示手段に映像表示する撮像装置であって、前記映像信号に対してホワイトバランス補正を施す信号処理手段と、前記表示手段に入力する映像信号として、前記信号処理手段によりホワイトバランス補正が施される前の映像信号と、前記信号処理手段によりホワイトバランス補正が施された後の映像信号を切替える信号切替え手段と、を備える。水中で撮影を行う場合、前記信号切替え手段は、前記信号処理手段によりホワイトバランス補正が施される前の映像信号に切替える。
【発明の効果】
【０００６】
本発明によれば、映像再生時に正確かつ迅速に適切なホワイトバランス補正がなされた映像表示を行うことができる。
【図面の簡単な説明】
【０００７】
【図１】図２および３とともに本発明に関連する第１実施形態を説明するために、撮像装置の構成例を示すブロック図である。
【図２】ホワイトバランス制御における青色および赤色のゲイン制御量を例示するグラフである。
【図３】ホワイトバランス補正処理例を示すフローチャートである。
【図４】図５および６とともに本発明に関連する第２実施形態を説明するために、撮像装置の外観例を示す斜視図である。
【図５】撮像装置の構成例を示すブロック図である。
【図６】ホワイトバランス補正処理例を示すフローチャートである。
【図７】図８とともに本発明の第３実施形態を説明するために、撮像装置の構成例を示すブロック図である。
【図８】撮像装置の動作手順を例示するフローチャートである。
【図９】第３実施形態の変形例に係る撮像装置の動作手順を例示するフローチャートである。
【発明を実施するための形態】
【０００８】
以下、図面を参照して本発明の各実施形態を詳細に説明する。なお、各実施形態では水中撮影が可能なビデオカメラを説明するが、映像信号の記録再生が可能であればデジタルスチルカメラ等の各種撮像装置に適用できる。
【０００９】
（第１実施形態）
図１は、本発明の撮像装置の構成に関連する第１実施形態に係るビデオカメラの構成例を示すブロック図である。
撮像光学系はレンズ３０１（フォーカスレンズ、手振れ補正レンズ等を含む）、絞り３０２、撮像素子３０５を備える。レンズ３０１の後方には絞り３０２が配置されており、これらを介した光は、撮像素子３０５の結像面上に被写体像として結像される。撮像素子３０５に使用するイメージセンサは被写体像を光信号から映像信号に変換する。撮像素子３０５により得た映像信号は、カメラ画信号処理部３１２に送られて所定の処理を施されて、外部表示装置３１６に出力されるか、または、内蔵メモリ３１５若しくはメモリカード３１８に記録される。なお、使用する記録媒体の種類についてはその如何を問わない。
システム制御部３１１は、撮像制御部３０６を介して撮像素子３０５の蓄積および読み出し等を制御する。またシステム制御部３１１は、レンズ制御部３０３を介してレンズ３０１のフォーカス制御やズーム制御等を行う。この他、システム制御部３１１は、撮像素子３０５から得た画像データより求められる被写体の輝度情報を用いて、絞り制御部３０４を介して絞り３０２を制御するとともにシャッタースピードを制御することで露出制御を行う。
【００１０】
モード選択部４０１は、ユーザが水中撮影モードや再生モードを選択する際に使用する。選択されたモードに合わせてホワイトバランス（以下、ＷＢとも記す）が設定される。設定されたＷＢモードの情報はシステム制御部３１１に送られる。システム制御部３１１は、カメラ画信号処理部３１２を通じて撮影のためにＷＢ制御を行い、映像のＷＢ状態が適正になるように処理する。ＷＢ制御のひとつとして映像表示画面を分割する方法では、分割された領域ごとに色を検出してＷＢの適正値を割り出し、平均値を基準に画面全体のＷＢ補正値が適正値となるように処理される。映像画面の分割として９分割や６分割でＷＢ検出がなされるが、これ以外の画面分割数でも構わない。
システム制御部３１１は、カメラ画信号処理部３１２において、カメラ映像の色座標変換により周囲の色温度情報を得て表示画信号処理部３０８に送る。映像再生時には、内蔵メモリ３１５またはメモリカード３１８に記録されている画像データが再生画信号処理部３１４に送られ、再生映像の色座標変換による色温度情報が表示画信号処理部３０８に送られる。表示画信号処理部３０８は、カメラ映像の色座標変換による周囲の色温度情報と、再生映像の色座標変換による色温度情報に従ってＷＢ補正を行う。これにより、撮像装置の表示パネル３０９のＷＢ状態が適正になる。なお、表示パネル３０９には、例えば液晶パネル（ＬＣＤ）が使用されるが、これに限らず各種の表示デバイスの使用が可能である。
【００１１】
図２は、本実施形態のＷＢ制御における、Ｒ（赤）およびＢ（青）のゲイン制御量を例示するグラフである。横軸はＲゲイン量を表し、縦軸はＢゲイン量を表す。
本実施形態のＷＢ補正は、Ｒ，Ｇ（緑），Ｂの３原色信号うち、Ｇを固定してＲとＢのゲインの補正量を変化させることにより行われる。図２において、実線部２０１で示すグラフ曲線は、黒体放射に沿った、水中再生モード時にＷＢ補正をしていない場合におけるＷＢ補正量の可変範囲を示している。点２０３は実線部２０１で示すグラフ曲線上に位置する制御点を例示する。水中では、水深が深くなるにつれて赤色成分が減衰してしまうため、実線部２０１のグラフ線に従ったＷＢ補正量では、例えば、色温度が３０００Ｋ（ケルビン）になり、Ｂのゲイン量が高くＲのゲイン量が低くなると、映像が青味掛かってしまう。そこで、水中撮影モードでは、水深が深くなるにつれて点線２０２のグラフ線に沿ってＷＢ補正が行われる。点２０４は点線２０２で示すグラフ線上に位置する制御点を例示し、例えば水深５ｍの場合に相当する。水中撮影モードでのＷＢ補正により、色温度が１００００Ｋになり、Ｂのゲイン量を小さくしてＲのゲイン量を大きくするＷＢ補正が行われる。点２０４でのＷＢ補正に対して、表示パネル３０９の画面上ではＲゲイン量が高くなるため、ユーザの目には映像が赤味掛かって見えてしまう。実線で示す矢印３００は、点２０４でのＷＢ情報から、表示パネル３０９のＷＢ補正を逆方向に制御する際の向きを表している。表示パネル３０９のＷＢ補正では黒体放射に沿う曲線に対してずれた位置に補正することで、周囲環境（水中）に順応しているユーザの目で見たときに、表示映像のＷＢ状態が適正となる。なお、表示パネル３０９のＷＢ補正については、使用するデバイスの特性（例えば、液晶パネル、バックライト等の分光特性）によって異なる場合があり、よって矢印３００は例示である。
【００１２】
図３は、本実施形態におけるＷＢ補正処理の流れを例示したフローチャートである。
撮像装置に電源が投入されると、モード選択部４０１からの信号を受けてシステム制御部３１１は、現在の設定モードが水中撮影モードであるか否かを判定する（Ｓ１０）。現在の設定モードが水中撮影モードの場合、Ｓ１１に進み、水中撮影モードでない場合、処理を終了する。
システム制御部３１１は、現在の設定モードが再生モードであるか否かを判定する（Ｓ１１）。現在の設定モードが再生モードでない場合、Ｓ１６に処理を進める。また現在の設定モードが再生モードの場合、表示パネル３０９がオン状態であるか否かの判定処理（Ｓ１２）に進む。表示パネル３０９がオン状態であって点灯中であれば、再生映像の色座標変換で色温度情報が取得される（Ｓ１３）。そして、周囲環境（水中）に順応しているユーザの眼で見たときに、表示映像のＷＢが適正となるように、カメラ画信号処理部３１２において処理された、カメラ映像の色座標変換により周囲の色温度情報が取得される（Ｓ１４）。表示画信号処理部３０８は、Ｓ１３で取得した色温度情報およびＳ１４で取得した色温度情報に基づき、図２で説明したように表示パネル３０９のＷＢ補正を行う（Ｓ１５）。表示パネル３０９のＷＢ補正は、視覚の色順応効果によって打ち消されるため、ユーザは適正なＷＢ状態で再生映像を見ることができる。そしてＳ１６に処理を進める。
前記Ｓ１２で表示パネル３０９がオフ状態であって消灯中の場合、表示パネル３０９のＷＢ補正処理は行わず、Ｓ１６に進む。再生が終了したか否かが判定され、再生が終了しない間、Ｓ１０に戻って処理を繰り返す。また、再生終了の場合、前記した一連の処理が終了する。
第１実施形態によれば、水中撮影モードで撮影内容を確認するために映像再生を行う際に、カメラ画信号処理部３１２でのホワイトバランス補正値を用いて表示パネル３０９のＷＢ補正が行われる。これにより、赤色成分が低減された再生映像を表示パネル３０９にて正確かつ迅速に表示させることができる。
【００１３】
（第２実施形態）
次に本発明の撮像装置の構成に関連する第２実施形態を説明する。以下では、第１実施形態との相違点を主として説明し、第１実施形態の場合と同様の構成要素については既に使用した符号を用いることにより、それらの説明を省略する。このような省略の仕方は後述する他の実施形態でも同様とする。
図４は、第２実施形態に係る撮像装置の外観例を示す斜視図である。以下では、被写体側を装置の前方および正面側として説明する。
撮像装置の本体３２０内には、内蔵メモリやメモリカード等の記録媒体が収容され、動画及び静止画像のデータを記録再生可能な構成となっている。
本体３２０の前面部にはレンズ部３２１が設けられており、上部には撮影時の音声を記録するためにマイクロホン３２２が付設されている。本体３２０の側面部には、再生映像を表示するための表示パネル３０９が開閉可能に支持されており、本体３２０の後面部にはビューファインダ３１０が設けられている。第１切替え検出部５０１は、表示パネル３０９の開閉状態を検出するスイッチを有する。表示パネル３０９が本体３２０に収まっている場合、表示パネル３０９は消灯し、ビューファインダ３１０内の光源が点灯するので、ユーザはビューファインダ３１０を覗きながら再生表示を確認できる。また、ユーザがビューファインダ３１０を引き出したことを検出するスイッチが設けられている場合には、その引き出しが検出されると、表示パネル３０９が点灯し、ビューファインダ３１０も点灯する。これにより、ユーザはどちらでも再生表示を確認できる。第２切替え検出部５０２は、表示パネル３０９の表示面が本体３２０の側面側とは異なる方向を向いた反転状態であることを検出する。当該反転状態が検出された場合、表示パネル３０９およびビューファインダ３１０は共に点灯するので、ユーザはどちらでも再生表示を確認できる。
【００１４】
モード選択部４０１は本体３２０の側面に設けた回転式スイッチを有する。ユーザはモード選択部４０１の操作により、再生モードを設定する「再生」位置と、水中撮影モードを設定する「水中」位置等を選択できる。操作スイッチ部３２７は、ユーザが本体３２０の操作に使用するための各種のキー、例えばメニュー操作や再生操作等のためのキーを備える。その下方に位置するスピーカ３２９は、映像信号の再生時に音声を出力する。バッテリ３３０は本体３２０の背面から着脱可能に設けられており、撮像装置内の各部に電源を供給する。
【００１５】
図５は、第２実施形態に係るビデオカメラの構成例を示すブロック図である。なお、以下では図１に示す構成との相違点を説明する。
システム制御部３１１は、レンズ制御部３０３を通じてレンズ３０１を駆動するか、或いは、カメラ画信号処理部３１２を制御することで、ユーザによる撮影時の手振れを補正する。第１切替え検出部５０１と第２切替え検出部５０２の各検出信号はシステム制御部３１１に送られる。表示パネル３０９が点灯状態の場合、カメラ画信号処理部３１２によりカメラ映像から得られる周囲の色温度情報と、再生画信号処理部３１４による再生映像の色温度情報に基づいてＷＢ補正が行われる。また、ビューファインダ３１０の光源が点灯状態の場合、ビューファインダ３１０に表示する映像のＷＢ補正は予め決められた設定情報を用いて行われる。表示画信号処理部４０８は再生画信号処理部３１４からの再生信号を処理してビューファインダ３１０に出力し、画像表示を行う。
【００１６】
図６は、第２実施形態におけるビューファインダ３１０のＷＢ制御を説明するフローチャートである。
撮像装置に電源が投入されると、モード選択部４０１からに信号によりシステム制御部３１１は、現在の設定モードが水中撮影モードであるか否かを判定する（Ｓ２０）。現在のモードが水中撮影モードの場合、Ｓ２１に進み、水中撮影モードでない場合には処理を終了する。
【００１７】
次に、現在の設定モードが再生モードであるか否かが判定され（Ｓ２１）、現在の設定モードが再生モードでない場合、Ｓ２４の処理に進む。また。現在の設定モードが再生モードである場合、Ｓ２２に進む。Ｓ２２にてシステム制御部３１１は、第１切替え検出部５０１および第２切替え検出部５０２からの信号を受けて、ビューファインダ３１０の状態がオン状態、つまり、光源が点灯中であるか否かを判定する。ビューファインダ３１０が点灯状態の場合、Ｓ２３の処理に進み、ビューファインダ３１０がオフ状態であって消灯中である場合、Ｓ２４に進む。
表示画信号処理部４０８は予め決められた色温度設定に従ってＷＢ補正を行う（Ｓ２３）。このとき、表示パネル３０９が点灯状態であれば、図３に説明したフローチャートに従って処理が実行される。
【００１８】
以上の処理が行われた後、再生が終了したか否かについて判定され（Ｓ２４）、再生終了の場合、前記した一連の処理が終了する。また、再生を継続する場合には、Ｓ２０に戻って前記の処理が繰り返し実行され、電源が切断されると本処理が終了する。
第２実施形態によれば、ビューファインダ３１０への切替えが検出された場合、表示画信号処理部４０８によって、ビューファインダ３１０の表示映像に対して予め決められた色温度情報を用いてＷＢ補正が行われる。よって、ユーザは適正なＷＢ状態で撮影映像を確認することができる。
【００１９】
（第３実施形態）
図７は本発明の第３実施形態に係る撮像装置の構成例を示すブロック図である。
システム制御部３１１を構成する不図示のＣＰＵ（中央演算処理装置）は、制御プログラムを解釈して実行することで各部を制御する。また、システム制御部３１１はレンズ制御部３０３を介してレンズ３０１を駆動するか、或いは後述のカメラ画信号処理部３１２を制御することで、ユーザの撮影時の手振れ補正の制御を行う。モード選択部４０１はユーザが撮影モードや後述のＷＢモードを設定する際に使用する。
【００２０】
撮像素子３０５により得られた映像信号は、カメラ画信号処理部３１２および後述の表示映像信号切替え部１１５に送られる。カメラ画信号処理部３１２は、ＷＢ処理部１０９、色補正処理部１１０、ガンマ処理部１１１、輪郭強調処理部１１２を備える。ＷＢ処理部１０９は、ユーザによって設定されたＷＢモードの情報に従って、撮影のためのＷＢ制御を行い、映像のＷＢ状態が適正になるように処理を行う。ガンマ処理部１１１は、画面中の明暗のレベルに応じて入出力特性を変化させる。そして輪郭強調処理部１１２は、映像信号の高周波成分を抽出してゲインアップ後に元の映像に加えることで輪郭を強調させる。また、色補正処理部１１０は、色再現性の改善および色収差の補正を行う。カメラ画信号処理部３１２で所定の処理を施された映像信号は、記録信号処理部１１４に送られて圧縮伸長処理を施される。圧縮伸長処理方式には、例えばモーションＪＰＥＧのように、各コマを独立して圧縮符号化する動画符号化方式がある。あるいはＭＰＥＧのように、コマによって独立して圧縮符号化し、また前後のコマの差分をとって圧縮符号化したり、複数のコマから予測して圧縮符号化する動画符号化方式でも構わない。なお、ＪＰＥＧは“Joint Photographic Experts Group”の略号であり、ＭＰＥＧは“Moving Picture Experts Group”の略号である。
【００２１】
記録信号処理部１１４の出力は表示映像信号切替え部１１５に送られるか、または記録媒体１１８に記録される。静止画像データや動画像データ等を格納する記録媒体１１８は、磁気記録媒体、光磁気記録媒体、あるいは半導体メモリ等で構成され、ランダムアクセス可能な種々の媒体を使用できる。
表示映像信号切替え部１１５は、表示画信号処理部３０８へ送る表示映像信号として、ＷＢ処理部１０９でＷＢ処理が施される前の信号（映像信号経路Ｂ参照）、またはＷＢ処理部１０９でＷＢ処理が施された後の信号（映像信号経路Ａ参照）を切替える。ここで選択された表示映像信号は、表示画信号処理部３０８にて所定の処理を施された後、表示パネル３０９に出力される。図４は、本実施形態に係る撮像装置の外観例を示す斜視図である。以下では、本実施形態に関連する構成要素だけを説明する。
【００２２】
電子式ビューファインダ３１０は、ユーザが覗き込むことにより撮影時に被写体の捕捉や確認に使用する。動画用トリガースイッチ２０６はプッシュボタンであり、ユーザが動画撮影開始及び終了を装置に指示するために操作する。モード選択部４０１はモードダイヤルを備えており、ユーザは、再生モードやカメラモード、水中撮影モード等の設定位置と、ＯＦＦ位置を選択できる。操作スイッチ部２０８は表示パネル３０９の近辺に設けられている。これは、ユーザが本体３２０を操作するために、ＷＢモードの設定入力を行うキーや撮影シーンモード（人物、花火、水中等）の選択をするためのキー、その他のメニュー操作や再生操作等を行うキーから構成される。
表示パネル３０９は、本体３２０の側面部から開いた状態で使用され、更に水平方向にも回転可能である。
【００２３】
次に、表示パネル３０９へ送る表示映像信号について、図７の映像信号経路ＡおよびＢの切替え制御を説明する。
図８は表示映像信号の切替え手順を例示するフローチャートである。なお、以下の処理はシステム制御部３１１の指示に従って実行される。
撮像装置に電源が投入されると、システム制御部３１１は、現在の設定モードがカメラ（撮影）モードであるか、または再生モードであるかを判定する（Ｓ３０１）。カメラモードの場合、Ｓ３０２に進み、再生モードの場合にはＳ３０４に進む。
カメラモードの場合、設定されたモードが水中撮影モードであるか否かが判定される（Ｓ３０２）。水中撮影では、撮影映像の赤色成分が減衰してしまうため、カメラ画では予め赤色を強くするようにＷＢ補正が行われる。そのため、ＬＣＤ等の表示パネル３０９へ表示される映像は、ユーザの視覚の順応効果によって赤味を帯びた映像になってしまう。そこで、設定モードが水中撮影モードの場合、Ｓ３０３に処理を進める。表示映像信号切替え部１１５は、表示パネル３０９へ送る表示映像信号を、ＷＢ処理部１０９にてＷＢ処理を施す前の映像信号（図７の映像信号経路Ｂ参照）に切替える。一方、設定モードが水中撮影モードでない場合には、Ｓ３０４に処理を進める。表示映像信号切替え部１１５は、表示パネル３０９へ送る表示映像信号として、ＷＢ処理部１０９にてＷＢ処理を施した後の映像信号（図７の映像信号経路Ａ参照）へ切替える。
【００２４】
Ｓ３０３、Ｓ３０４での処理後、Ｓ３０５に進み、システム制御部３１１は撮影の継続について判定する。継続時にはＳ３０１に戻り、電源が切断されて制御が終了するまで前記の処理を繰り返す。撮影終了時には前記した一連の処理が終了する。
第３実施形態によれば、水中撮影モード時に表示パネル３０９へ送る表示映像信号は、ＷＢ処理が施される前の映像信号に切替えられるので、水中環境下で撮像した画像信号に係るＷＢ処理で赤色成分を増強した映像は表示パネル３０９に表示されない。このため、水中環境下に順応した人間の視覚でも、表示パネル３０９には適正なＷＢ状態での映像表示が行われる。つまり、水中環境下で生じるカメラ画（撮影画像）と表示パネル画（表示画像）の間のＷＢの差を軽減できる。そして、ユーザは撮影画像のＷＢ状態を正確に把握できる。
尚、第３実施形態にて、ユーザがビューファインダ３１０を覗き込む場合には周囲の照明環境の影響を受けない。このため、ビューファインダ３１０へ送る表示映像信号については、ＷＢ処理部１０９でＷＢ処理を施した後の映像信号を使用する映像信号経路Ａ（図７参照）のままでよい。
【００２５】
（変形例）
次に、本発明の第３実施形態の変形例を説明する。
図７に示すモード選択部４０１では、以下に示すＷＢモードの選択が可能である。
・オートホワイトバランスモード（ＡＷＢ）
被写体の画像データまたは色温度センサの情報を元に自動補正を行って適正なＷＢ状態を得るモードである。
・ホワイトバランスセットモード（ＷＢセット）
予め、撮影環境下で基準となる白い被写体を撮影しながらユーザが操作することで、基準の白が適正な白となるようにＷＢを補正するモードである。
・ホワイトバランスプリセットモード（ＷＢプリセット）
プリセット屋内、プリセット屋外等のように、予め想定される複数の環境下にて、適正なＷＢを得るための補正値を用意しておき、ユーザが補正値を選択するモードである。
モード選択部４０１に含まれる、ＷＢモードの選択部をユーザが操作して設定したＷＢモードの指示信号はシステム制御部３１１に出力される。
【００２６】
図９は、表示パネル３０９へ送る表示映像信号の切替え手順を例示するフローチャートである。なお、Ｓ５０１の処理は図８のＳ３０１と同様であり、Ｓ５０６乃至５０８の処理は図８のＳ３０３乃至３０５と同様であるため、以下では主にＳ５０２乃至Ｓ５０５の処理を説明する。
Ｓ５０１からＳ５０２に進むと（ＹＥＳの場合）、ＷＢモードの設定内容が判定される。システム制御部３１１は、前述したＷＢセット、ＡＷＢ、ＷＢプリセットのいずれであるかを判定する。ＷＢセットの場合、ＷＢ処理部１０９は基準の白が適正な白となるようにＷＢを補正する（Ｓ５０３）。ＡＷＢでは、被写体の画像データまたは色温度センサの情報を元に自動補正により適正なＷＢ状態が得られる（５０４）。またＷＢプリセットでは、予め想定される複数の環境下にて適正なＷＢ状態を得るために用意された補正値をユーザが選択する（５０５）。ＷＢセット（Ｓ５０３）やＡＷＢ（Ｓ５０４）では、表示パネル３０９に表示される映像も撮影映像と同じく適正なＷＢ状態で表示される必要がある。周囲の照明環境に順応しているユーザの目で表示パネル３０９の表示映像を見た時でも適正なＷＢ状態で観賞するために、ＷＢセットまたはＡＷＢの場合、Ｓ５０６に進む。表示映像信号切替え部１１３は、表示パネル３０９へ送る表示映像信号として、ＷＢ処理を施す前の映像信号に切替える（図７の映像信号経路Ｂ参照）。
【００２７】
一方、ＷＢプリセット（Ｓ５０５）では、予め想定される環境下で適正なＷＢ状態となるように、それぞれ補正値が用意されている。しかし、ユーザが意図的に使用時の環境下とは異なる補正値を使用する場合がある（例えば、ユーザが夕焼けをより赤く撮りたい場合等）。そのため、ＷＢプリセットの場合、Ｓ５０７に進む。表示映像信号切替え部１１３は、表示パネル３０９へ送る表示映像信号として、ＷＢ処理が施された後の映像信号へ切替える（図７の映像信号経路Ａ参照）。
変形例によれば、映像の白部分が適正な白になっていることが求められるＡＷＢやＷＢセットの場合、ＷＢ処理が施される前の映像信号を使用する経路Ｂに切替えられる。このため、撮影時の照明環境によって生じるカメラ画と表示パネル画の間のＷＢの差を軽減できるので、ユーザは撮影している映像のＷＢ状態を正確に把握できる。また、ＷＢプリセットの場合には、ユーザがＷＢ補正量を意図的に変更する場合があるため、ＷＢ処理が施された後の映像信号を使用する映像信号経路Ａに切替えることで、ユーザはＷＢ補正量の変化を確認できる。
【００２８】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００２９】
１０９  ホワイトバランス処理部
１１５  表示映像信号切替え部
３０５  撮像素子
３０８  表示画信号処理部
３０９  表示パネル
３１０  ビューファインダ
３１２  カメラ信号処理部
３１４  再生画信号処理部
３１５  内蔵メモリ
３１８  メモリカード
４０１  モード選択部
５０１，５０２  切替え検出部
【図１】
0006009046.tif 000002
【図２】
0006009046.tif 000003
【図３】
0006009046.tif 000004
【図４】
0006009046.tif 000005
【図５】
0006009046.tif 000006
【図６】
0006009046.tif 000007
【図７】
0006009046.tif 000008
【図８】
0006009046.tif 000009
【図９】
0006009046.tif 000010